(57)【要約】【課題】携帯電話機に衝撃が加わることを防止する。【解決手段】カード制御部９が、信号線１２ａ〜１２ｄを介して、リーダ／ライタ装置との通信状態を示す信号をＣＰＵ８に入力する。ＣＰＵ８は、カード制御部９が入力した信号に従ってＬＥＤ表示部３を点灯，点滅する。これにより、ユーザは、ＬＥＤ表示部３の点灯，点滅状態を参照することにより、カード制御９とリーダ／ライタ装置との間の通信状態を確認することができるので、リーダ／ライタ装置にカード制御部９を接触させる必要が無くなり、携帯電話機に衝撃が加わることを防止することができる。【選択図】  図１
2004266729.tif 000002
【特許請求の範囲】
【請求項１】
リーダ／ライタ装置との間で通信処理を行う非接触型ＩＣカード機能を備える携帯通信端末であって、
上記リーダ／ライタ装置と上記非接触型ＩＣカード機能との間の通信状態を示す信号を生成するカード制御部と、
生成された信号に従って上記通信状態を通知する通知制御部と
を備えることを特徴とする携帯通信端末。
【請求項２】
請求項１に記載の携帯通信端末であって、
電話機能を備え、
上記通知制御部は、上記電話機能に関連する通知処理の方式とは異なる方式で上記通信状態を通知すること
を特徴とする携帯通信端末。
【請求項３】
請求項１に記載の携帯通信端末であって、
上記通知制御部は、光，振動，音声の内の少なくとも一つを利用して上記通信状態を通知すること
を特徴とする携帯通信端末。
【発明の詳細な説明】
【０００１】
【発明の属する技術分野】
本発明は、非接触型ＩＣカード機能を備える携帯通信端末に関する。
【０００２】
【従来の技術】
近年、自動改札機や公衆電話機等の装置に非接触型ＩＣ（Ｉｎｔｅｇｒａｔｅｄ  Ｃｉｒｃｕｉｔ）カードとの間で通信処理を行うリーダ／ライタ装置が設けられ、これにより、ユーザは、リーダ／ライタ装置に非接触型ＩＣカードを近づけるだけで、装置を利用するために必要な認証処理や課金処理等の処理を簡単に行うことができるようになっている。また、最近では、携帯電話機やＰＤＡ（Ｐｅｒｓｏｎａｌ  Ｄｉｇｉｔａｌ  Ａｓｓｉｓｔａｎｔ）等の携帯通信端末に非接触型ＩＣカード機能を内蔵させることにより、ユーザが非接触型ＩＣカードを様々な場面で利用できる環境が整いつつある。
【０００３】
【特許文献１】
特開２００１−２６６１７８号公報
【０００４】
【発明が解決しようとする課題】
ところで、上記非接触型ＩＣカードが利用可能な装置は、非接触型ＩＣカードとリーダ／ライタ装置との間の通信処理を確実に行うために、ユーザに対し、リーダ／ライタ装置に非接触型ＩＣカードを接触させることを要求しているものが多い。しかしながら、非接触型ＩＣカード機能が携帯通信端末に内蔵されている場合には、非接触型ＩＣカードをリーダ／ライタ装置に接触させると、携帯通信端末本体に衝撃が加わることになるので、携帯通信端末の故障や寿命低下の原因となることが考えられる。
【０００５】
本発明は、上記課題を解決するためになされたものであり、その目的は、リーダ／ライタ装置への接触が不要な、非接触型ＩＣカード機能を備える携帯通信端末を提供することにある。
【０００６】
【課題を解決するための手段】
本発明に係る携帯通信端末の特徴は、リーダ／ライタ装置との間で通信処理を行う非接触型ＩＣカード機能を備える携帯通信端末であって、リーダ／ライタ装置と非接触型ＩＣカード機能との間の通信状態を示す信号を生成するカード制御部と、生成された信号に従って通信状態を通知する通知制御部とを備えることにある。
【０００７】
すなわち、本発明に係る携帯通信端末では、通知制御部が非接触型ＩＣカードとリーダ／ライタ装置との間の通信状態を通知するので、ユーザが非接触型ＩＣカードをリーダ／ライタ装置に接触させる必要が無くなり、携帯通信端末に衝撃が加わることを防止することができる。
【０００８】
【発明の実施の形態】
本発明は、例えば図１に示すような、非接触型ＩＣカード機能を備える携帯電話機に適用することができる。以下、図面を参照して、本発明の一実施形態となる携帯電話機の構成及びその動作について詳しく説明する。
【０００９】
〔携帯電話機の構成〕
本発明の一実施形態となる携帯電話機１は、図１に示すように、主な構成要素として、ＬＣＤ（Ｌｉｑｕｉｄ  Ｃｒｙｓｔａｌ  Ｄｉｓｐｌａｙ）表示部２，ＬＥＤ（Ｌｉｇｈｔ  Ｅｍｉｓｓｉｏｎ  Ｄｉｏｄｅ）表示部３，バイブレータ４，操作入力部５，スピーカ６，メモリ７，ＣＰＵ（Ｃｅｎｔｒａｌ  Ｐｒｏｃｅｓｓｉｎｇ  Ｕｎｉｔ）８，カード制御部９，及び通信処理部１０を備える。
【００１０】
また、ＬＣＤ表示部２，ＬＥＤ表示部３，バイブレータ４，操作入力部５，スピーカ６，メモリ７，及び通信処理部１０と、ＣＰＵ８は内部バス配線１１を介して接続されると共に、ＣＰＵ８とカード制御部９は信号線１２ａ〜１２ｄを介して接続されている。
【００１１】
上記ＬＣＤ表示部２は、ＣＰＵ８の制御に従って、文字や数字，記号，アイコン，カーソル，画像，及び動画像等を情報を可視表示する。上記ＬＥＤ表示部３は、ＣＰＵ８の制御に従って、赤色，黄色，青色等の複数の色で点灯する。上記バイブレータ４は、回転軸に偏心重りを取り付けた小型モータにより構成され、ＣＰＵ８の制御に従って携帯電話機１の本体を振動させる。
【００１２】
上記操作入力部５は、例えば「０」から「９」までの数字の入力，文字の入力，記号の入力，発信や受信の指示入力，電源のオン／オフの指示入力等の操作に使用する複数のキーボタンを有する。さらに、上記操作入力部５は、ＬＣＤ表示部２上に表示されたカーソルの移動操作や画面のスクロール操作等の操作に使用するダイアル（ジョグダイアル）を有する。
【００１３】
上記スピーカ６は、ＣＰＵ８の制御に従って音声信号を出力する。上記メモリ７は、読み書き可能な記憶素子により構成され、ＣＰＵ８が実行するコンピュータプログラムや、電話や電子メールの着信時のＬＥＤ表示部３，バイブレータ４，及びスピーカ６の発光，振動，発音（メロディ）パターン等、携帯電話機１の各種設定値を記憶する。
【００１４】
上記メモリ７は、ＣＰＵ８のワーキングエリアを提供する。上記ＣＰＵ８は、演算処理装置により構成され、メモリ７内に記憶されたコンピュータプログラムに従って、内部バス配線１１を介してＬＣＤ表示部２，ＬＥＤ表示部３，バイブレータ４，操作入力部５，スピーカ６の動作を制御する。
【００１５】
上記カード制御部９は、リーダ／ライタ装置２０から送信されるコマンドに従って動作する非接触型ＩＣカードにより構成され、詳しくは後述するが、信号線１２ａ〜１２ｄを介して、リーダ／ライタ装置２０との間の通信状態を示す信号をＣＰＵ８に出力する。上記通信処理部１０は、電話の着信処理や発信処理，電子メールの送受信処理等、一般的な携帯電話機の基本機能を実現する。
【００１６】
〔カード制御部の構成〕
この実施形態では、上記カード制御部９は、図２に示すように、アンテナ９ａ，整流部９ｂ，電圧監視部９ｃ，復調部９ｄ，制御部９ｅ，記憶部９ｆ，変調部９ｇ，及びスイッチ９ｈを備える。
【００１７】
上記整流部９ｂは、アンテナ９ａに誘起された交流電圧を直流電圧に整流し、カード制御部９が動作するための電力を生成する。ここで、アンテナ９ａに誘起される交流電圧は、リーダ／ライタ装置２０側のアンテナ２０ｅ（図３参照）とアンテナ９ａが電磁的に結合することにより発生し、その大きさは、アンテナ２０ｅとアンテナ９ａとの間の物理的な距離に応じて変化する。なお、アンテナ２０ｅとアンテナ９ａとの間の物理的距離は、電磁的な結合を形成するために、正対した状態で数ｃｍから１０数ｃｍ程度以内にする。
【００１８】
上記電圧監視部９ｃは、整流部９ｂから出力される電圧の大きさを監視する。そして、電圧監視部９ｃは、電圧の大きさがカード制御部９が動作するために必要な所定電圧値に達するのに応じて、スイッチ９ｈをオン状態に切り換えることにより整流部９ｂを復調部９ｄと制御部９ｅに電気的に接続し、電力を供給する。また、電圧監視部９ｃは、整流部９ｂから出力される電圧が所定電圧値以上である間、信号線１２ａを介してＣＰＵ８にアクティブ信号（Ｉ）を連続的に入力する。
【００１９】
上記復調部９ｄは、リーダ／ライタ装置２０から送信されたキャリア信号の中からデータ信号を分離，出力する。なお、データ信号は、リーダ／ライタ装置２０から送信されるキャリア信号に重畳されており、整流部９ｂによる電圧平滑化後は電圧変動として電圧信号に残る。従って、復調部９ｄは、この電圧変動を分離，出力することにより、データ信号を分離，出力することができる。
【００２０】
上記制御部９ｅは、リーダ／ライタ装置２０から送信されるコマンドに対する各種応答を制御する。具体的には、制御部９ｅは、復調部９ｄから出力されたデータ信号を解析することにより、データ信号の中からコマンドやデータを抽出する。そして、制御部９ｅは、抽出したコマンドの内容に従って、受信データを記憶部９ｆ内に記憶したり、記憶部９ｆ内から読み出したデータを返信する等、各種応答を実行する。
【００２１】
また、制御部９ｅは、通信処理を開始することを示す開始コマンドをリーダ／ライタ装置２０から受信するのに応じて、信号線１２ｂを介してＣＰＵ８にアクティブ信号（ＩＩ）を入力する。また、上記制御部９ｅは、リーダ／ライタ装置２０との間で送受信処理が行われるタイミング毎（例えば１バイト単位）に、信号線１２ｃを介してＣＰＵ８にアクティブ信号（ＩＩＩ）を入力する。また、制御部９ｅは、通信処理が完了したことを示す終了コマンドをリーダ／ライタ装置２０から受信するのに応じて、信号線１２ｄを介してＣＰＵ８にアクティブ信号（ＩＶ）を入力する。
【００２２】
上記変調部９ｇは、制御部９ｅが生成した返信データをアンテナ９ａを介してリーダ／ライタ装置２０に送信する。より具体的には、変調部９ｇは、アンテナ９ａのインピーダンスを変化させることにより、アンテナ９ａと電磁的に結合されたリーダ／ライタ装置２０側のアンテナ２０ｅの電圧を変化させ返信データを送信する。なお、アンテナ９ａのインピーダンスは、アンテナ９ａにスイッチと負荷抵抗を直列に接続し、制御部９ｅが返信データを出力するのに応じて、スイッチのオン／オフを切り換えることにより、変化させることができる。
【００２３】
〔リーダ／ライタ装置の構成〕
この実施形態では、上記リーダ／ライタ装置２０は、カード制御部９に対する電力供給処理とコマンドやデータの読み書き処理とを制御するマスタデバイスであり、図３に示すように、発振器２０ａ，制御部２０ｂ，変調部２０ｃ，復調部２０ｄ，及びアンテナ２０ｅを備える。
【００２４】
上記発振器２０ａは、所定周波数（例えば１５．３６ＭＨｚ）のキャリア信号を発振出力する。上記制御部２０ｂは、リーダ／ライタ装置２０の各種制御を行うと共に、カード制御部９を制御するための送受信データを管理する。また、制御部２０ｂは、通信可能な非接触型ＩＣカードが近傍に存在するか否かを確認するための確認コマンドを定期的に送信する。
【００２５】
なお、上記カード制御部９は、リーダ／ライタ装置２０から確認コマンドを受信するのに応じて、リーダ／ライタ装置２０とカード制御部９の双方からの送信データが衝突しないように、予め規定された所定のタイミングで応答データを返信する。そして、制御部２０ｂは、カード制御部９から応答データを受信することにより、通信可能な非接触型ＩＣカードが近傍に存在すると判断し、開始コマンドを送信する。
【００２６】
上記変調部２０ｃは、制御部２０ｂから出力される送信データに従ってキャリア信号を振幅変調し、送信データが重畳されたキャリア信号をアンテナ２０ｅを介してカード制御部９に送信する。なお、変調部２０ｃは、カード制御部９に動作電力を供給するために、発振器２０ａから出力されたキャリア信号を常に送信している。
【００２７】
上記復調部２０ｄは、アンテナ２０ｅを介して受信した信号の電圧変動を分離、出力することにより、非接触型ＩＣカードから送信された返信データを復調する。上記アンテナ２０ｅは、変調部２０ｃと復調部２０ｄに接続され、カード制御部９側のアンテナ９ａと電磁的に結合することにより、アンテナ９ａとの間で通信処理を行う。
【００２８】
〔携帯電話機の動作（状態通知処理）〕
上記携帯電話機１は、ユーザがリーダ／ライタ装置２０に携帯電話機１を近づけるのに応じて、ＬＥＤ表示部３を介してカード制御部９とリーダ／ライタ装置２０との間の通信状態をユーザに通知する（以下、この処理を状態通知処理と表記する）。以下、図４に示すフローチャートを参照して、リーダ／ライタ装置２０がカード制御部９の記憶部９ｆ内に記録された所定バイト数のデータを読み出す際の通信処理を例として、上記状態通知処理を実行する際の携帯電話機１内部の動作を詳しく説明する。
【００２９】
図４に示すフローチャートは、ユーザがリーダ／ライタ装置２０側のアンテナ２０ｅに携帯電話機１を近づけることで開始となり、状態通知処理はステップＳ１の処理に進む。
【００３０】
ステップＳ１の処理では、カード制御部９が、誘起電圧の大きさが所定電圧値以上であるか否かを判別する。そして、誘起電圧の大きさが所定電圧値以上になるのに応じて、カード制御部９は、ステップＳ２の処理として信号線１２ａを介してＣＰＵ８にアクティブ信号（Ｉ）を連続的に入力し、状態通知処理をステップＳ３の処理に進める。
【００３１】
ステップＳ３の処理では、ＣＰＵ８が、信号線１２ａを介して入力されたアクティブ信号（Ｉ）を割り込み処理により検知するのに応じて、ＬＥＤ表示部３を黄色に点灯制御することにより、カード制御部９とリーダ／ライタ装置２０との間の距離が通信可能距離に達したことをユーザに通知する。
【００３２】
なお、この実施形態では、ＣＰＵ８はＬＥＤ表示部３を黄色に点灯させたが、この処理を実行する際、ＣＰＵ８は、メモリ７に記憶されている設定情報を参照して電話や電子メールの着信通知を示す色とは異なる色でＬＥＤ表示部３を点灯し、ユーザが着信通知と誤解しないようにＬＥＤ表示部３を点灯することが望ましい。これにより、このステップＳ３の処理は完了し、状態通知処理はステップＳ３の処理からステップＳ４の処理に進む。
【００３３】
ステップＳ４の処理では、カード制御部９が、リーダ／ライタ装置２０から開始コマンドを受信したか否かを判別する。そして、開始コマンドを受信するのに応じて、カード制御部９は、ステップＳ５の処理として信号線１２ｂを介してＣＰＵ８にアクティブ信号（ＩＩ）を入力し、状態通知処理をステップＳ６の処理に進める。
【００３４】
ステップＳ６の処理では、ＣＰＵ８が、信号線１２ｂを介して入力されたアクティブ信号（ＩＩ）を割り込み処理により検知するのに応じて、ＬＥＤ表示部３を青色に点灯制御することにより、カード制御部９とリーダ／ライタ装置２０との間の通信処理が開始されたことをユーザに通知する。
【００３５】
なお、このステップＳ６の処理においても、ＣＰＵ８は、前述の処理と同様、着信通知を示す色とは異なる色でＬＥＤ表示部３を点灯することが望ましい。これにより、このステップＳ６の処理は完了し、状態通知処理はステップＳ６の処理からステップＳ７の処理に進む。
【００３６】
ステップＳ７の処理では、カード制御部９が、記憶部９ｆ内のデータのアドレス（例えば１バイト）と読み出しコマンド（例えば１バイト）を示す、リーダ／ライタ装置２０から送信されるデータ信号を１バイト受信したか否かを判別する。そして、データ信号を１バイト受信するのに応じて、カード制御部９は、ステップ８の処理として信号線１２ｃを介してＣＰＵ８にアクティブ信号（ＩＩＩ）を入力し、状態通知処理をステップＳ９の処理に進める。
【００３７】
なお、上記ステップＳ７の処理において、カード制御部９は、記憶部９ｆ内のデータのアドレスと読み出しコマンドを認識するのに応じて、指定されたアドレスからデータ（例えば１バイト）を読み出し、読み出したデータをリーダ／ライタ装置２０に返信する。そして、カード制御部９は、リーダ／ライタ装置２０にデータを返信する際も、信号線１２ｃを介してＣＰＵ８にアクティブ信号（ＩＩＩ）を入力する。
【００３８】
ステップＳ９の処理では、ＣＰＵ８が、信号線１２ｃを介して入力されたアクティブ信号（ＩＩＩ）を割り込み処理により検知するのに応じて、ＬＥＤ表示部３を青色に点滅制御することにより、カード制御部９とリーダ／ライタ装置２０との間で通信処理が正常に行われていることをユーザに通知する。
【００３９】
なお、このステップＳ９の処理においても、ＣＰＵ８は、前述の処理と同様、着信通知を示す点滅パターンとは異なる点滅パターンでＬＥＤ表示部３を点滅させることが望ましい。これにより、このステップＳ９の処理は完了し、状態通知処理はステップＳ９の処理からステップＳ１０の処理に進む。
【００４０】
ステップＳ１０の処理では、カード制御部９が、通信処理の完了に応じてリーダ／ライタ装置２０が送信する終了コマンドを受信したか否かを判別する。そして、判別の結果、終了コマンドを受信していない場合、カード制御部９は、状態通知処理をステップＳ７の処理に戻す。一方、終了コマンドを受信した場合には、カード制御部９は、ステップＳ１１の処理として信号線１２ｄを介してＣＰＵ８にアクティブ信号（ＩＶ）を入力した後、状態通知処理をステップＳ１２の処理に進める。
【００４１】
ステップＳ１２の処理では、ＣＰＵ８が、信号線１２ｄを介して入力されたアクティブ信号（ＩＶ）を割り込み処理により検知するのに応じて、ＬＥＤ表示部３を赤色に点灯制御することにより、カード制御部９とリーダ／ライタ装置２０との間で通信処理が完了したことをユーザに通知する。
【００４２】
また、ＣＰＵ８は、バイブレータ４を制御して携帯電話機１本体を振動させることにより、ＬＥＤ表示部３を確認しなくてもユーザが通信処理の完了を認識できるようにする。なお、このステップＳ１２の処理においても、ＣＰＵ８は、前述の処理と同様、着信通知を示す色及び振動パターンとは異なる色及び振動パターンでＬＥＤ表示部３及びバイブレータ４を動作させることが望ましい。これにより、このステップＳ１２の処理は完了し、状態通知処理はステップＳ１２の処理からステップＳ１３の処理に進む。
【００４３】
ステップＳ１３の処理では、ＣＰＵ８が、信号線１２ａを介してアクティブ信号（Ｉ）が入力されているか否かを判別する。そして、アクティブ信号の入力が停止するのに応じて、ＣＰＵ８はステップＳ１４の処理としてＬＥＤ表示部３を消灯し、一連の状態通知処理は終了する。
【００４４】
〔実施の形態の効果〕
以上の説明から明らかなように、本発明の一実施形態となる携帯電話機１では、カード制御部９が、リーダ／ライタ装置２０との通信状態を示すアクティブ信号（Ｉ），（ＩＩ），（ＩＩＩ），（ＩＶ）を信号線１２ａ〜１２ｄを介してＣＰＵ８に入力し、ＣＰＵ８が、カード制御部９が入力したアクティブ信号（Ｉ），（ＩＩ），（ＩＩＩ），（ＩＶ）に従ってＬＥＤ表示部３を点灯，点滅する。そして、このような構成によれば、ユーザは、ＬＥＤ表示部３の点灯，点滅状態を参照することにより、カード制御部９とリーダ／ライタ装置２０との間の通信状態を確認することができるので、リーダ／ライタ装置２０にカード制御部９を接触させる必要が無くなり、携帯電話機１に衝撃が加わることを防止することができる。
【００４５】
また、本発明の一実施形態となる携帯電話機１によれば、ＣＰＵ８が、メモリ７内に記憶されている設定情報を参照して、電話や電子メールの着信通知等の通信処理部１０の機能とは異なる色やパターンでＬＥＤ表示部３を点灯，点滅させるので、カード制御部９とリーダ／ライタ装置２０が通信している際に、ＬＥＤ表示部３の点灯，点滅が電話機能に起因するものとユーザが誤解することを防ぐことができる。
【００４６】
〔その他の実施形態〕
以上、本発明者らによってなされた発明を適用した実施の形態について説明したが、この実施の形態による本発明の開示の一部をなす論述及び図面により本発明は限定されることはない。
【００４７】
例えば、上記実施形態では、ＬＥＤ表示部３は複数色発光できることとしたが、単色のみ発光可能なＬＥＤを複数設け、発光させるＬＥＤを切り換えることにより通信状態を通知するようにしてもよい。また、上記実施形態では、ＬＥＤ表示部３を発光させることによりリーダ／ライタ装置２０との間の通信状態を通知したが、例えば、リーダ／ライタ装置２０との通信が完了したことをバイブレータ４でユーザに通知するだけでもよい。また、上記実施形態では、通信状態が変化する度毎にユーザに対する通知処理を行ったが、全ての通信状態を必ずしも通知する必要はなく、例えば、通信処理の完了のみをユーザに通知するだけでもよい。
【００４８】
また、上記実施形態では、ＬＥＤ表示部３とバイブレータ４を利用してリーダ／ライタ装置２０との間の通信状態を通知したが、例えば、スピーカ６の出力音声のみ、若しくは、スピーカ６の出力音声を併用して通知してもよい。なお、この場合、スピーカ６の出力音声の高低やメロディを切り換えることにより通信状態を認識させるようにしてもよい。
【００４９】
また、上記実施形態では、データ信号を１バイト送受信する毎にＬＥＤ表示部３を点滅させたが、この方法によれば、例えばデータ信号が高速で送受信されている場合には、ＬＥＤ表示部３が高速に点滅することになるので、ＬＥＤ表示部３の点滅状態を確認することができずに、ユーザがＬＥＤ表示部３があたかも点灯しているように認識してしまう可能性がある。従って、ユーザが点滅状態を確認することができる程度の速度でＬＥＤ表示部３を点滅させるために、例えば、複数バイト単位でＬＥＤ表示部３を点滅させたり、一定周期内にデータ信号が送受信された際にＬＥＤ表示部３を点滅させるようにしてもよい。
【００５０】
また、上記実施形態では、カード制御部９は、開始コマンドを受信するのに応じてリーダ／ライタ装置２０と通信可能になったと判断したが、リーダ／ライタ装置２０から開始コマンドが送信されることが定義されていない場合には、例えば、最初のデータ信号を受信するのに応じてリーダ／ライタ装置２０と通信可能になったと判断するとよい。また、整流部９ｂの出力電圧に閾値を設け、出力電圧が閾値以上になるのに応じてリーダ／ライタ装置２０と送信可能になったと判断してもよい。
【００５１】
また、上記実施形態では、カード制御部９は、終了コマンドを受信するのに応じてリーダ／ライタ装置２０との通信が完了したと判断したが、リーダ／ライタ装置２０から終了コマンドが送信されることが定義されていない場合には、例えば、リーダ／ライタ装置２０と通信可能になったと判断した時点からタイマ計測を開始し、所定時間が経過するのに応じてリーダ／ライタ装置２０との通信が完了したと判断してもよい。
【００５２】
また、上記実施形態では、カード制御部９は、独立した複数の信号線１２ａ〜１２ｄを介してＣＰＵ８に割り込み信号を入力したが、例えば非同期式シリアル線通信を利用して複数の信号線を１本の信号線により構成してもよい。また、カード制御部９は、ＣＰＵ８とバス接続し、１本の割り込み信号線によりＣＰＵ８に割り込み信号を入力し、その要因をＣＰＵ８からのアクセスで取得してもよい。
【００５３】
また、上記実施形態は、本発明を携帯電話機に適用したものであるが、本発明は、ＰＤＡ（Ｐｅｒｓｏｎａｌ  Ｄｉｇｉｔａｌ  Ａｓｓｉｓｔａｎｔ）機器、パーソナルコンピュータ機器、ラジオ機器を含む、携帯機器全般に適用することができる。
【００５４】
このように、この実施の形態に基づいて当業者等によりなされる他の実施の形態、実施例及び運用技術等は全て本発明の範疇に含まれることは勿論であることを付け加えておく。
【００５５】
【発明の効果】
本発明によれば、ユーザが非接触型ＩＣカードとリーダ／ライタ装置との通信状態を確認することができるので、非接触型ＩＣカードをリーダ／ライタ装置に接触させ、携帯電話機に衝撃が加わることを防止することができる。
【図面の簡単な説明】
【図１】本発明の一実施形態となる携帯電話機の内部構成を示すブロック図である。
【図２】図１に示すカード制御部の内部構成を示すブロック図である。
【図３】リーダ／ライタ装置の一構成例を示すブロック図である。
【図４】図１に示す携帯電話機がリーダ／ライタ装置と通信する際の動作を示すフローチャート図である。
【符号の説明】
１…携帯電話機、２…ＬＣＤ表示部、３…ＬＥＤ表示部、４…バイブレータ、５…操作入力部、６…スピーカ、７…メモリ、８…ＣＰＵ、９…カード制御部、９ａ，２０ｅ…アンテナ、９ｂ…整流部、９ｃ…電圧監視部、９ｄ…復調部、９ｅ…制御部、９ｆ…記憶部、９ｇ…変調部、９ｈ…スイッチ、１０…通信処理部、１１…内部バス配線、１２ａ，１２ｂ，１２ｃ，１２ｄ…信号線、２０…リーダ／ライタ装置、２０ａ…発振器、２０ｂ…制御部、２０ｃ…変調部、２０ｄ…復調部
【図１】
2004266729.tif 000003
【図２】
2004266729.tif 000004
【図３】
2004266729.tif 000005
【図４】
2004266729.tif 000006